(57)【要約】【課題】既存の給水供給管を分岐させて防災用スプリンクラーに接続する構成のままでありながら、火災時に水使用器具よりも防災用スプリンクラーに優先的に送水できるようにして、防災用スプリンクラーの作動を確実かつ円滑に行えるようにしたものである。【解決手段】スプリンクラーの熱式感知機能または、煙式感知機能が作動した場合、その作動信号を有線または無線を経由して、給湯装置に送信し、前記給湯装置は、前記作動信号を受けた時、水量制御弁で水量を絞るとともにお湯はり手段を停止することで防災用スプリンクラーを接続した分水管に優先的に送水する。【選択図】　図２
2004089500.tif 000002
【特許請求の範囲】
【請求項１】
水道本管から家庭に引き込む給水配管を水栓用としての一般配管とスプリンクラー用としての防災用配管とに分岐する分岐部を設け、前記一般配管には前記分岐部より下流に給水又は給湯の水量を絞る水量制御弁を設けた給湯装置が備え、前記防災用配管には前記分岐部より下流に熱式感知機能または煙式感知機能を有するスプリンクラーが備えられた家庭用防災システムにおいて、前記スプリンクラーの熱式感知機能または、煙式感知機能が作動した場合、その作動信号を有線または無線を経由して前記給湯装置に送信し、前記給湯装置は、前記作動信号を受けた時、前記水量制御弁で水量を絞ることを特徴とする家庭用防災システム。
【請求項２】
水道本管から水栓用としての一般配管とスプリンクラー用としての防災用配管とに分岐され、前記一般配管には前記分岐部より下流に浴槽へ温水を供給するお湯はり手段を設けた給湯装置が備えられるとともに、前記防災用配管には前記分岐部より下流に熱式感知機能または、煙式感知機能を有するスプリンクラーが備えられた家庭用防災システムにおいて、前記スプリンクラーの熱式感知機能または、煙式感知機能が作動した場合、その作動信号を有線または無線を経由して前記給湯装置に送信し、前記給湯装置は、前記作動信号を受けた時、お湯はり手段を停止することを特徴とする家庭用防災システム。
【請求項３】
水道本管から水栓用としての一般配管とスプリンクラー用としての防災用配管とに分岐され、前記一般配管には前記分岐部より下流に給水又は給湯の水量を絞る水量制御弁および浴槽へ温水を供給するお湯はり手段を設けた給湯装置が備えられるとともに、前記防災用配管には前記分岐部より下流に熱式感知機能または、煙式感知機能を有するスプリンクラーが備えられた家庭用防災システムにおいて、前記スプリンクラーの熱式感知機能または、煙式感知機能が作動した場合、その作動信号を有線または無線を経由して、前記給湯装置に送信し、前記給湯装置は、前記作動信号を受けた時、前記水量制御弁で水量を絞るとともにお湯はり手段を停止することを特徴とする家庭用防災システム。
【発明の詳細な説明】
【０００１】
【発明の属する技術分野】
本発明は、水道本管から一般配管と防災用配管に分岐され、一般配管の下流に、給水又は給湯の水量を絞る水量制御弁を備えた給湯装置、または前記水量制御弁に加え浴槽へ温水を供給するお湯はり手段を備えた給湯装置を設置し、さらに防災用配管　の下流に家庭用スプリンクラーを設置した家庭用防災システムに関するものである。
【０００２】
【従来の技術】
従来より、マンション等の１１階建て以上の居住区においては、防災用スプリンクラーを設置することが消防法施行令で義務付けられているが、近年、火災による家屋の損失または逃げ遅れによる死傷を未然に防止するために、消防法施行令で義務付けられていない戸建て住宅等の居住区においても、防災用スプリンクラーを設置するようになってきた。
【０００３】
かかる防災用スプリンクラーとしては、閉鎖型スプリンクラーヘッド・開放型スプリンクラーヘッド・放水型スプリンクラーヘッド等があるが、例えば閉鎖型スプリンクラーヘッドの場合、各家屋に配管される給水供給管を中途で分岐し、分岐した分水管の内部に防災用スプリンクラーが始動する以前から水が供給された状態となっている湿式型と、分水管の内部に防災用スプリンクラーが始動する以前には水が供給されておらず、防災用スプリンクラーの始動とともに水が供給される乾式型および予作動型とがある。
これらの防災用スプリンクラーは、各家屋に配管される給水供給管を中途で分岐した分水管に接続されており、防災用スプリンクラーの作動時に給水供給管から各家屋に供給される水の一部を使用して消火のための散水を行っている。
【０００４】
【発明が解決しようとする課題】
ところが、上記従来の防災用スプリンクラーにあっては、各家屋に配管される給水供給管を中途で分岐し、給水供給管から各家屋に供給される水の一部を使用して消火のための散水を行っていたため、火災時に消火に必要な十分な量の散水が行えないおそれがあった。
つまり、各家屋に配管される給水管には各家屋で使用される数多くの水使用器具が接続されており、これらの水使用器具を使用している時に火災が発生して防災用スプリンクラーが作動した場合には、水使用器具へも引き続き給水したままであることから、防災用スプリンクラーに消火に必要な十分な量の水を供給することができないおそれがあった。
上述した不具合は、給水供給管を分岐させて防災用スプリンクラーに接続していたことに起因するものであり、給水供給管とは別個の専用配管に防災用スプリンクラーを接続することによって解決できるものではあるが、そのような専用配管を各家屋に供給するには、膨大なるインフラの整備が必要であって現実的ではない。
そこで、本発明は既存の給水供給管を分岐させて防災用スプリンクラーに接続する構成のままでありながら、火災時に水使用器具よりも防災用スプリンクラーに優先的に送水できるようにして、防災用スプリンクラーの作動を確実かつ円滑に行えるようにしたものである。
【０００５】
【課題を解決するための手段及びその作用・効果】
上記目的を達成するために請求項１は、水道本管から水栓用としての一般配管とスプリンクラー用としての防災用配管とに分岐され、前記一般配管には前記分岐部より下流に給水又は給湯の水量を絞る水量制御弁を設けた給湯装置が備えられるとともに、前記防災用配管には前記分岐部より下流に熱式感知機能または、煙式感知機能を有するスプリンクラーが備えられた家庭用防災システムにおいて、前記スプリンクラーの熱式感知機能または、煙式感知機能が作動した場合、その作動信号を有線または無線を経由して前記給湯装置に送信し、前記給湯装置は、前記作動信号を受けた時、前記水量制御弁で水量を絞ることとしたので、火災時は給湯装置の水量を絞ることにより防災用スプリンクラーに優先的に送水できるようにして、防災用スプリンクラーの作動を確実かつ円滑に行える。
【０００６】
請求項２は、水道本管から水栓用としての一般配管とスプリンクラー用としての防災用配管とに分岐され、前記一般配管には前記分岐部より下流に浴槽へ温水を供給するお湯はり手段を設けた給湯装置が備えられるとともに、前記防災用配管には前記分岐部より下流に熱式感知機能または、煙式感知機能を有するスプリンクラーが備えられた家庭用防災システムにおいて、前記スプリンクラーの熱式感知機能または、煙式感知機能が作動した場合、その作動信号を有線または無線を経由して前記給湯装置に送信し、前記給湯装置は、前記作動信号を受けた時、お湯はり手段を停止することとしたので、火災時は給湯装置が自動的にお湯はりを停止することにより防災用スプリンクラーに優先的に送水できるようにして、防災用スプリンクラーの作動を確実かつ円滑に行える。
【０００７】
請求項３は、水道本管から水栓用としての一般配管とスプリンクラー用としての防災用配管とに分岐され、前記一般配管には前記分岐部より下流に給水又は給湯の水量を絞る水量制御弁および浴槽へ温水を供給するお湯はり手段を設けた給湯装置が備えられるとともに、前記防災用配管には前記分岐部より下流に熱式感知機能または、煙式感知機能を有するスプリンクラーが備えられた家庭用防災システムにおいて、前記スプリンクラーの熱式感知機能または、煙式感知機能が作動した場合、その作動信号を有線または無線を経由して、前記給湯装置に送信し、前記給湯装置は、前記作動信号を受けた時、前記水量制御弁で水量を絞るとともにお湯はり手段を停止することとしたので、防災用スプリンクラーに優先的に送水できるようにして、防災用スプリンクラーの作動を確実かつ円滑に行える。
【０００８】
【発明の実施の形態】
以下、本発明の実施の形態を、図面により詳細に説明する。
図１は、本発明の一実施形態が係る給湯装置をガス給湯機に適用したブロック図である。
上記ガス給湯機は、図示のように、給湯機本体１、給水源から給湯機本体１に水を供給するための給水管３、及び熱交換器７で加熱された水を給湯栓６８に供給するための給湯管５で構成されている。
【０００９】
更に、給湯機本体１内の給水管３から分岐し、熱交換器７を介さずに給湯管５に接続されたバイパス管４３と、バイパス管４３と給湯管５の合流部には、熱交換器７で加熱された湯と、バイパス管４３から送られてきた水を指令パルスに基づき駆動するステッピングモータＭにより混合制御する混合弁４１が備えられている。
【００１０】
また、給水管３には、給水源からの水の温度Ｔｃを検出する入水温度センサ２５、及び水の量Ｑを検出する水量センサ２７、給湯管５の混合弁４１よりも上流側には、熱交換器７出口の温度Ｔｈを検出する熱交換器出口温度センサ４５、混合弁４１よりも下流側には、混合された後の混合湯温Ｔｍを検出する混合湯温検出センサ２９、出湯量を調節する水量制御弁５０が備えられている。
【００１１】
また、給湯機本体１内には、燃焼するのに必要な空気を供給するためのファン９をも備える。
さらにバーナ１３の上部には着火する際に必要なイグナイタ１５、火炎の有無を検出するフレームロッド１７が設けられている。
また、バーナ１３にガスを供給するためのガス供給管２３が設けられ、ガス供給管２３には供給するガス量を可変するための比例弁１９及びガスの供給を開始／停止するための電磁弁２１がそれぞれ備えられている。
【００１２】
更に、上記ガス給湯機は、混合弁４１よりも下流で給湯機本体１内の給湯管５から、追焚配管２に接続された湯張り管４を備え、湯張り管４には、湯張り管４を流れる流量を検出する風呂水量センサ８及び湯の供給を開始／停止するための温水電磁弁６が設けられている。
一方、追焚配管２は端部を浴槽１２に接続し、中途には浴槽１２内の湯を循環させるためのポンプＰ、浴槽１２の水位を検出する水位センサ１０、浴槽１２内の湯温を検出する風呂温度センサ４９を備える。
【００１３】
また、リモコン３３には、運転スイッチ３５、給湯栓６８から供給される湯温の設定温度Ｔｓ及び浴槽１２へ湯張りする湯温の風呂設定温度Ｔｆｓを設定する温度設定スイッチ３９、浴槽へ湯張りする際にオン操作する湯張りスイッチ３６、浴槽１２内の湯を追焚する際にオン操作する追焚スイッチ３８、設定温度Ｔｓ、風呂設定温度Ｔｆｓ等を表示する表示部３７を備える。
【００１４】
上記ガス給湯機は更に、上記各センサ２５、２７、４５、２９および温度設定スイッチ３９からの検出信号（Ｔｃ、Ｑ、Ｔｈ、Ｔｍ、Ｔｓ、Ｔｆｓ）に基づき、比例弁１９、電磁弁２１、ファン９、混合弁４１等の制御を行う制御部３１をも備える。
【００１５】
なお、制御部３１と各センサ及び比例弁１９、電磁弁２１、ファン９、混合弁４１等とは、図示しない有線若しくは無線にて信号の送受信が可能である。
また、制御部３１へは、スプリンクラー６６の作動信号６９が有線若しくは無線にて送られる。
【００１６】
図３にて、本発明の構成を具体的に説明する。
水道本管６１から水栓用としての一般配管６２とスプリンクラー用としての防災用配管６３とが分岐して設けられている。
さらに、一般配管６２には給湯栓６８へ給湯配管７０を介してお湯を供給する給湯装置６５が接続されている。
そして、防災用配管６３に設けられたスプリンクラー６６が火災時に作動した時、その作動信号６９が給湯装置６５へ送られるようになっている。
【００１７】
次に、図２をもとにスプリンクラー作動時の動作を説明する。
ステップＳ１で熱式感知機能又は煙式感知機能を有するスプリンクラー６６が火災を感知したか否かを判断する。
ステップＳ１でスプリンクラー６６が火災を感知したと判断すると、ステップＳ２で給湯機本体１の制御部３１へ作動信号６９を送信する。
そして、ステップＳ３で給湯機本体１の出湯量を調節する水量制御弁５０を全閉状態にするとともに、ステップＳ４で給湯機本体１が浴槽へのお湯はり中であれば温水電磁弁６を閉じてお湯はりを停止する。
従って、防災用スプリンクラーに優先的に送水できるようにして、防災用スプリンクラーの作動を確実かつ円滑に行える家庭用防災システムを構築することが出来る。
【図面の簡単な説明】
【図１】本発明の一実施形態が係る給湯装置をガス給湯機に適用したブロック図
【図２】本発明の一実施形態が係る制御部３１の制御ブロック図
【図３】本発明の一実施形態を示す図
【符号の説明】
１…給湯機本体
８…温水電磁弁
３１…制御部
５０…水量制御弁
６１…水道本管
６２…一般配管
６３…防災用配管
６５…給湯装置
６６…スプリンクラー
６９…作動信号
【図１】
2004089500.tif 000003
【図２】
2004089500.tif 000004
【図３】
2004089500.tif 000005